(57)【特許請求の範囲】
【請求項１】
多数の開口を有し、片面全体にくぼみを有する、硬質のプレート２枚を、くぼみを内側に、且つメッシュシートを挟んで固定してなるカキ用採苗器。
【請求項２】
前記プレートの開口率が２０〜４０％である請求項１記載のカキ用採苗器。
【請求項３】
前記メッシュシートの目開きが、０．２〜１ｍｍである請求項１又は２記載のカキ用採苗器
【請求項４】
前記プレートがポリプロピレン製である請求項１〜３の何れかに記載のカキ用採苗器。
【発明の詳細な説明】
【技術分野】
【０００１】
本発明は、カキの種苗を効率的に採取するための採苗器に関する。
【背景技術】
【０００２】
東日本大震災によって、宮城県のカキ養殖が大きな被害を受けた結果、それまでのカキ需要を賄うため宮城県外にカキ養殖が拡大し、養殖のための種苗の需要も拡大した。
また、宮城県産の種苗を利用してカキ養殖を実施してきた地域では、養殖規模の維持のため、独自に採苗を行う取組みが実施されたが、需要を満足するだけの種苗の確保は難しいのが現状である。
【０００３】
近年の天然採苗の状況は、種苗の大生産地である広島、宮城において、採捕量が年々減少し、他の地域に配布できる量が制限されつつあり、価格の高騰を招いている。そのため、単価が高いシングルシードカキの養殖が注目されている。
【０００４】
従来、シングルシードカキ養殖のための種苗を採取するには、ホタテの貝殻に付着した稚貝を、ひとつひとつ分離する必要があり非常に手間がかかった。
【０００５】
これらの問題を解決するため、一旦付着した稚貝が剥離しやすい材質からなる採苗器が各種提案されている（特許文献１、２）。これらの採苗器は、カキの幼生が浮遊する海域に、直接吊り下げられ、付着した幼生が稚貝まで成長したら引き上げられる。採苗器に付着した稚貝は、採苗器を変形させたり、表面をこすることによって、容易に脱離するので、稚貝の回収作業負担が低減する。
【０００６】
しかし、稚貝と採苗器との結合力が弱いことは、潮の流れにより幼生の再離脱や稚貝の脱落の可能性や他生物による食害の危険性も大きい。
【先行技術文献】
【特許文献】
【０００７】
【特許文献１】実開平０５−９２６８号公報
【特許文献２】特開２０１３−６３０２３号公報
【発明の開示】
【発明が解決しようとする課題】
【０００８】
本発明は、幼生の再離脱や稚貝の脱落の原因となる潮流の影響を受けにくく、他生物による食害の危険も少ない、カキ種苗を効率的に回収できる採苗器を提供することを課題とする。
【課題を解決するための手段】
【０００９】
本発明者らは、海中に載置したプラスチック製の野菜籠の蓋の内面に特異的にカキ稚貝が付着することに着目し、適度な海水の滞留環境がカキ幼生の固形材への付着に関係しているのではないかと考え、本発明に至った。
【００１０】
すなわち、本発明の採苗器は、多数の開口を有し、片面全体にくぼみを有する、硬質のプレート２枚を、くぼみを内側に、且つメッシュシートを挟んで固定したものである。
かかる構成の採苗器を海中に吊り下げると、前記くぼみによって形成される空間内は、適度に海水が滞留する環境となり、前記開口部から流入したカキ幼生は前記プレート内空間の内壁面に付着しやすくなる。
【００１１】
本発明のプレートは、プレートに形成したときに可撓性を有し、付着した稚貝が剥離しやすい材質であれば種類を問わないが、コストの点から合成樹脂が好ましく、既存の合成樹脂製の通気性収納籠の蓋体などを本発明のプレートとしてそのまま使用することができる。また、この程度の大きさであれば、人手による取扱いも容易である。
【００１２】
本発明のプレートに形成された開口は、特に大きさや形状は問わないが、カキ幼生や稚貝を捕食する大型の生物が入り込めず、浮遊するカキ幼生が通過しやすい大きさである５〜１５ｍｍ程度であることが好ましい。また、その開口率（開口面積／プレートの内壁面積）も、大きすぎると外部環境の影響を受けやすく、またプレートの強度も低下してしまい、小さすぎると前記内部空間の環境が悪化し易くなり、プレート内壁面に付着するカキ幼生の流入量も少なくなるので、２０〜４０％程度が好ましい。
【００１３】
２枚のプレートに挟むメッシュシートは、プレート内部空間の海水の流れを調整する作用を有するもので、材質は問わないが０．２〜１ｍｍ程度の目開きのものが好ましい。
【００１４】
本発明のプレートの片面に形成するくぼみの深さは１０ｍｍ程度が好ましい。このようなくぼみにより、本発明の採苗器を組み立てたとき、プレートとメッシュシートの間が１０ｍｍ程度の空間となるので、適度な海水の滞留状態が形成されるとともに、稚貝を餌とする大型の魚類等が入り込めず、プレート内面に付着した稚貝の食害を確実に防ぐことができる。
【００１５】
本発における２枚のプレートの固定手段は、使用中に必要な強度が保て、稚貝の回収時に容易に開放できるものであればよく、紐やバンドによる結束、クランプによる挟持など、周知の手段が作用できる。
【００１６】
本発明の採苗器で、カキ種苗を採取するには、カキ幼生の固着物への付着時期にあわせて、本発明の採苗器を複数個、水平方向に間隔をあけて、海中に吊り下げる。カキの産卵によって海中を浮遊し、本発明の採苗器の空間に入り込んだカキの幼生は、安定した環境下で、プレート内壁面に容易に付着する。各採苗器の間隔は、１ｃｍ以上とすることが望ましい。間隔が１ｃｍ未満では、採苗器間を流れる海水量が減少し、採苗量も少なくなってしまう。
プレートの内壁面に付着した幼生(約０．３ｍｍ)は、３０日程度で殻長約１５ｍｍの稚貝に成長するので、稚貝が付着した本発明の採苗器を海中から引き揚げ、プレートの固定手段を外してプレート内壁面に付着した稚貝を回収する。プレートがポリプロピレン製であれば、プレートを湾曲させるだけで、稚貝は簡単にプレートから剥離する。
【発明の効果】
【００１７】
本発明によれば、多数の開口を有する２枚のプレートとそれらに挟まれたメッシュシートによって、カキの幼生が着生し易い環境を形成することができ、且つ着生した幼生や、幼生から成長した稚貝を食害から有効に守ることができるので、大量のカキ種苗を効率的に採取することができる。
【図面の簡単な説明】
【００１８】
【図１】本採苗器の断面図
【図２】本採苗器の斜視図
【図３】本採苗器で採苗する実施態様を示す図
【図４】本採苗器で採苗した稚貝の状態を撮影した写真
【符号の説明】
【００１９】
１  採苗器
２  プレート
３  開口
４  くぼみ
５  メッシュシート
６  固定手段
７  連結手段
８  ロープ
９  錘
【発明を実施するための最良の形態】
【００２０】
本発明の採苗器を図１、図２に示す。採苗器１は、多数の開口３と片面にくぼみ４を有するプレート２と、２枚のプレート２によって挟持されるメッシュシート５から構成され、２枚のプレート２は、取り外し可能な固定手段６によって固定される。
本発明の採苗器１で、カキの種苗を採苗するには、図３のように本発明の採苗器１を複数個平行に連結手段７により連結し、ロープ８でカキ幼生が浮遊する海域の海中に垂下する。垂下には、既存のカキ養殖用筏が利用できる。なお、採苗器が合成樹脂製で比重が小さい場合は、海中において採苗器が安定的に保持されるよう最下段の採苗器には錘９を取り付ける。
【実施例】
【００２１】
本実施例では、採苗器１のプレート２として野菜籠用の蓋体、固定手段６及び連結手段７として結束バンドを使用した例を示しているが、本発明はこれに限られるものではない。
【００２２】
本発明の採苗器を使用し、兵庫県立農林水産技術総合センターの試験海域内でカキの採苗実験を行った。
本実験では採苗器のプレートとしてポリプロピレン製の野菜籠の蓋体を利用した。この蓋体は、幅２９８ｍｍ長さ４５８ｍｍ、中央部の厚さ１２ｍｍで、中央部に７ｍｍ角の開口が７１０個形成され、開口率が２５．５％の成型品であり、この蓋体の全周端部によって形成される仮想平面と前記開口を有する中央部の内壁面との間隔(本発明でいう「くぼみ」)は１０ｍｍであった。
間にポリエチレン製のメッシュシート(目開き：２２５μｍ、３５１μｍ、９２５μｍの３種類)を挟持させて、２枚の蓋体の内側面を重ね合わせ、蓋体の周囲を結束ベルト６で緩く固定した。
このようにして作成した採苗器を１ｃｍの間隔で平行に５組、ベルト７で連結し、兵庫県立農林水産技術総合センターの試験海域内の水深１ｍ以内となるように垂下した。この海域におけるカキの採苗適期が不明であったため、上記３種類のメッシュシートをそれぞれ４セット用意し、平成２６年７月の下旬から８月中旬にかけて毎週１セットずつ設置し、それぞれ４週間後に引き上げた。
その結果、７月下旬と８月第１週に設置した採苗器の内壁面には１５〜１６ｍｍ程度に成長したカキの稚貝が顕著に着生していた(図４)が、８月第２週、第３週に設置した採苗器にはほとんど稚貝の付着はなかった。
８月第１週に設置した採苗器の各セットの最上段の蓋体内壁面には、目開き２２５μｍのメッシュシートを使用したもの：１５４個(平均殻長１６．０ｍｍ)、目開き３５１μｍのメッシュシートを使用したもの：８２個(平均殻長１４．８ｍｍ)、目開き９２５μｍのメッシュシートを使用したもの：２７３個(平均殻長１５．３ｍｍ)の付着認められ、目開きによる差が生じたが、目視によれば、各セットの５組、蓋体１０枚の付着量のばらつきの方が大きかったことから、今回の実験に使用したメッシュシートの見開きであれば、カキの採苗に有効であるといえる。
【産業上の利用可能性】
【００２３】
本発明のカキの採苗器は、構造が簡単で、既存品を利用できるので規模を問わず低コストで実施可能であり、また、採取時の労力もかからないので、実用化しやすい。
また、本発明の採苗器で採取されたシングルシードシェルカキ養殖用の種苗は、飼育調整により出荷調整が容易にでき、従来品薄となる季節にも出荷することができる。
【図１】
0006550601.tif 000002
【図２】
0006550601.tif 000003
【図３】
0006550601.tif 000004
【図４】
0006550601.tif 000005